(57)【要約】【課題】引留クランプカバーの連結部材収容部を耐張碍子の開口部に挿入・抜出する作業が間接活線工具によって容易に行われるようにする。【解決手段】引留クランプ収容部３の外方へ突出するスライド操作用把持部３２，３８が間接活線工具によって把持された状態でスライド移動させられると、連結部材収容部４が引留クランプ収容部３のガイド穴１５内をスライド移動し、連結部材収容部４が耐張碍子２６の開口部２８内に出し入れされる。すなわち、本発明の引留クランプカバー１によれば、連結部材収容部４を耐張碍子２６の開口部２８に挿入・抜出する作業が間接活線工具によって容易に行われる。【選択図】図２
2014176115.tif 000002
【特許請求の範囲】
【請求項１】
耐張碍子の開口部から突出する連結部材に接続された引留クランプを覆い、引留クランプの充電部が露出しないように形作られた引留クランプカバーにおいて、
前記引留クランプを収容する引留クランプ収容部と、
前記耐張碍子の前記開口部内に挿入されて、前記連結部材が露出しないように収容する連結部材収容部と、を有し、
前記引留クランプ収容部には、前記連結部材収容部がスライド移動できるように収容され、
前記連結部材収容部には、前記引留クランプ収容部のガイド穴から前記引留クランプ収容部の外方へ突出するスライド操作用把持部であって、且つ、間接活線工具に把持されるスライド操作用把持部が設けられ、
前記スライド操作用把持部が前記間接活線工具によって把持された状態で前記ガイド穴に沿ってスライド移動させられることにより、前記連結部材収容部が前記引留クランプ収容部に対してスライド移動し、前記連結部材収容部が前記耐張碍子の前記開口部内に出し入れされるようになっている、
ことを特徴とする引留クランプカバー。
【請求項２】
前記引留クランプ収容部は、半割状の一対のカバー本体がヒンジ部を介して開閉できるように連結され、前記ヒンジ部と前記連結部材収容部との間で且つ前記ヒンジ部寄りの部分に縁線を引き出すための縁線引出部が形成され、前記縁線引出部と前記連結部材収容部との間に前記一対のカバー本体を閉じた状態で保持するカバー本体閉じ手段が形成され、
前記カバー本体閉じ手段は、前記一対のカバー本体の一方に取り付けられた磁石と、前記一対のカバー本体の他方で且つ前記磁石に突き合わされる部分に取り付けられて、前記磁石に引き付けられる磁石吸引部材と、を備えたことを特徴とする請求項１に記載の引留クランプカバー。
【発明の詳細な説明】
【技術分野】
【０００１】
この発明は、引留クランプを覆うことにより、引留クランプの充電部が露出しないようにした引留クランプカバーに関するものである。
【背景技術】
【０００２】
従来から、電柱間に架設される高圧絶縁電線は、電柱に耐張碍子を介して取り付けられた引留クランプで把持されている。そして、引留クランプは、鳥獣害による配電線の故障が生じるのを防止するために、充電部が露出しないように引留クランプカバーで覆われている（絶縁処理が施されている）。
【０００３】
図４は、引留クランプカバー１００の取付状態を示す図である。この図４に示すように、引留クランプカバー１００は、引留クランプ１０１を収容する引留クランプ収容部１０２と、引留クランプ１０１に接続された耐張碍子１０３の連結部材１０４を収容する連結部材収容部１０５と、を有している。そして、この引留クランプカバー１００の連結部材収容部１０５は、その先端側が耐張碍子１０３の開口部１０６に挿入され、耐張碍子１０３の開口部１０６側とオーバーラップした状態で連結部材１０４を覆うようになっている（特許文献１参照）。
【先行技術文献】
【特許文献】
【０００４】
【特許文献１】特開平９−２１５１６０号公報（特に、図３参照）
【発明の概要】
【発明が解決しようとする課題】
【０００５】
このような従来の引留クランプカバー１００は、耐張碍子１０３の連結部材１０４に接地短絡部材（図示せず）を取り付ける際に、連結部材収容部１０５が耐張碍子１０３の開口部１０６から抜かれ、耐張碍子１０３の連結部材１０４から接地短絡部材を取り外した後に、連結部材収容部１０５が耐張碍子１０３の開口部１０６に再度挿入されることになる。
【０００６】
しかしながら、引留クランプカバー１００は、難燃性の絶縁性樹脂材料で形成されており、弾性変形させることはできるものの、連結部材収容部１０５を間接活線工具（絶縁ヤットコ等）によって変形させた状態で耐張碍子１０３の開口部１０６から抜き出したり、連結部材収容部１０５を間接活線工具によって変形させた状態で耐張碍子１０３の開口部１０６に挿入する作業が困難であった。
【０００７】
そこで、本発明は、引留クランプカバーの連結部材収容部を耐張碍子の開口部に挿入・抜出する作業が間接活線工具によって容易に行われるようになっている引留クランプカバーの提供を目的とする。
【課題を解決するための手段】
【０００８】
本発明は、耐張碍子２６の開口部２８から突出する連結部材２７に接続された引留クランプ２を覆い、引留クランプ２の充電部が露出しないように形作られた引留クランプカバー１に関するものである（図１乃至図３参照）。本発明の引留クランプカバー１は、前記引留クランプ２を収容する引留クランプ収容部３と、前記耐張碍子２６の前記開口部２８内に挿入されて、前記連結部材２７が露出しないように収容する連結部材収容部４と、を有している。そして、前記引留クランプ収容部３には、前記連結部材収容部４がスライド移動できるように収容されている。また、前記連結部材収容部４には、前記引留クランプ収容部３のガイド穴１５から前記引留クランプ収容部３の外方へ突出するスライド操作用把持部３２，３８であって、且つ、間接活線工具に把持されるスライド操作用把持部３２，３８が設けられている。そして、前記スライド操作用把持部３２，３８が前記間接活線工具によって把持された状態で前記ガイド穴１５に沿ってスライド移動させられることにより、前記連結部材収容部４が前記引留クランプ収容部３に対してスライド移動し、前記連結部材収容部４が前記耐張碍子２６の前記開口部２８内に出し入れされるようになっている。
【発明の効果】
【０００９】
本発明の引留クランプカバーによれば、引留クランプ収容部の外方へ突出するスライド操作用把持部が間接活線工具によって把持された状態でスライド移動させられると、連結部材収容部が引留クランプ収容部のガイド穴内をスライド移動し、連結部材収容部が耐張碍子の開口部内に出し入れされる。したがって、本発明の引留クランプカバーによれば、連結部材収容部を耐張碍子の開口部に挿入・抜出する作業が間接活線工具によって容易に行われる。
【図面の簡単な説明】
【００１０】
【図１】本発明に係る引留クランプカバーを示す図であり、図１（ａ）が引留クランプカバーの正面図、図１（ｂ）が引留クランプカバーの平面図、図１（ｃ）が引留クランプカバーの右側面図である。
【図２】本発明に係る引留クランプカバーの使用状態を示す図であり、引留クランプカバーの一部を破断して示す図である。
【図３】図３（ａ）は、引留クランプカバーの連結部材収容部と引留クランプ収容部との係合状態を示す図であり、図１（ａ）に示した引留クランプカバーの連結部材収容部を矢印Ｂ方向から見た図である。図３（ｂ）は、図３（ａ）のＡ１−Ａ１線に沿って分断して（一対のカバー本体を開いて）示す連結部材収容部と引留クランプ収容部の係合状態図であ。
【図４】従来の引留クランプカバーの使用状態を示す図であり、引留クランプカバーの一部を破断して示す図である。
【発明を実施するための形態】
【００１１】
以下、本発明の実施の形態を図面に基づき詳述する。
図１は、本実施形態に係る引留クランプカバー１を示す図である。なお、図１（ａ）は、引留クランプカバー１の正面図である。また、図１（ｂ）は、引留クランプカバー１の平面図である。また、図１（ｃ）は、引留クランプカバー１の右側面図である。
【００１２】
この図１に示す引留クランプカバー１は、引留クランプ２を収容する引留クランプ収容部３と、この引留クランプ収容部３に取り付けられた連結部材収容部４と、を有している（図２参照）。この引留クランプカバー１の連結部材収容部４は、耐張碍子２６の開口部２８から突出する連結部材２７を収容し、連結部材２７を露出させないようになっている（図２参照）。このような引留クランプカバー１は、引留クランプ２の充電部を露出させることがない。
【００１３】
引留クランプ収容部３は、難燃性の絶縁性樹脂材料で形成されており、半割状の一対のカバー本体５ａ，５ｂがヒンジ部６を介して開閉できるように一体に形成されている。この引留クランプ収容部３は、一対のカバー本体５ａ，５ｂの開閉端縁に沿って複数のカバー本体閉じ手段７，８が設けられており、この複数のカバー本体閉じ手段７，８によって一対のカバー本体５ａ，５ｂが閉じた状態で保持される。また、この引留クランプ収容部３は、図１（ａ），（ｃ）に示すように、図外の間接活線工具によって把持するための被把持部１０が下端縁に沿って一対設けられている。
【００１４】
図１（ａ），（ｂ）及び図２に示すように、引留クランプ収容部３は、閉じられた状態において、一対のカバー本体５ａ，５ｂの右端側に、高圧絶縁電線１１を引き入れるための電線導入口１２が形作られている。また、この引留クランプ収容部３は、閉じられた状態において、一対のカバー本体５ａ，５ｂの左上端側で且つヒンジ部６寄りの位置に、縁線１３を引き出すための開口部である縁線引出部１４が形作られている。また、この引留クランプ収容部３は、閉じられた状態において、一対のカバー本体５ａ，５ｂの右下端側に、連結部材収容部４をスライド移動できるように案内するガイド穴１５が形作られている。
【００１５】
図１（ａ），（ｃ）に示すように、一対のカバー本体５ａ，５ｂの右下端側に設けられたカバー本体閉じ手段７は、一方のカバー本体５ａの突片１６ａに形成された係止突起１７を他方のカバー本体５ｂの突片１６ｂに形成された係止穴１８に弾性変形させた状態で係合することにより、一対のカバー本体５ａ，５ｂを閉じ状態で保持する。なお、このカバー本体閉じ手段７は、一方のカバー本体５ａの突片１６ａに形成された係止突起１７を他方のカバー本体５ｂの突片１６ｂに形成された係止穴１８から弾性変形させた状態で抜くことにより、一対のカバー本体５ａ，５ｂの閉じ状態が解除され、一対のカバー本体５ａ，５ｂを開くことが可能になる。
【００１６】
また、図１（ａ）及び図２に示すように、一対のカバー本体５ａ，５ｂの左端側で且つ縁線引出部１４とガイド穴１５（ガイド穴１５に係合された連結部材収容部４）との間の位置に設けられたカバー本体閉じ手段８は、一方のカバー本体５ａの突片２０ａに取り付けられた磁石２１で他方のカバー本体５ｂの突片２０ｂに取り付けられた鉄片（磁石に引き付けられる磁石吸引部材）２２を吸着することにより、一対のカバー本体５ａ，５ｂを閉じ状態で保持する。なお、一方のカバー本体５ａの突片２０ａ及び磁石２１と他方のカバー本体５ｂの突片２０ｂ及び鉄片２２は、一対のカバー本体５ａ，５ｂを閉じた場合に、対向する位置（突き合わされる位置）に設けられている。また、磁石吸引部材は、鉄片２２に限られず、磁石２１に引き付けられるものであればよく、セラミックス等でもよい。
【００１７】
図１（ａ），図２及び図３に示すように、連結部材収容部４は、難燃性の絶縁性樹脂材料で形成された一対の連結部材収容部本体２３ａ，２３ｂで構成されている。この一対の連結部材収容部本体２３ａ，２３ｂは、筒状体を軸心ＣＬに沿って半割したような形状に形成されており、閉じられた状態において、端部に向かうにしたがって先細となるテーパ状部分２４と、このテーパ状部分２４に接続された円筒状部分２５と、を形作るようになっている。そして、この連結部材収容部４は、引留クランプ収容部３のガイド穴１５にスライドできるように係合され、内部に耐張碍子２６の連結部材２７を収容するようになっている。なお、この連結部材収容部４のテーパ状部分２４の先端側が耐張碍子２６の開口部２８内に挿入される（図２参照）。
【００１８】
図２及び図３に示すように、一対の連結部材収容部本体２３ａ，２３ｂのうちの一方（２３ａ）は、一対のカバー本体５ａ，５ｂの半割状のガイド穴１５ａにスライド移動できるように係合される。この一方の連結部材収容部本体２３ａの上部には、半割状のガイド穴１５ａの上端部で且つガイド穴１５の軸心ＣＬの延びる方向に沿って形成されたガイド溝３０にスライド移動できるように係合されるスライドガイド突起３１が形成されている。また、この一方の連結部材収容部本体２３ａの下部には、スライド操作用把持部３２を固定する取付穴３３が形成されている。この一方の連結部材収容部本体２３ａの取付穴３３には、一方のカバー本体５ａの下部に形成された長穴３４を介してスライド操作用把持部３２の固定片３５が挿入されると共に、スライド操作用把持部３２の固定片３５が固定される。そして、連結部材収容部本体２３ａの半割状のガイド穴１５ａ内におけるスライド量は、カバー本体５ａの長穴３４によって決定される（制限される）。すなわち、スライド操作用把持部３２のスライド量がカバー本体５ａの長穴３４によって決定されるため、スライド操作用把持部３２が固定された一方の連結部材収容部本体２３ａのスライド量もカバー本体５ａの長穴３４によって決定されることになる。なお、スライド操作用把持部３２の固定片３５は、一方の連結部材収容部本体２３ａの取付穴３３に圧入されるか、又は接着等の公知の固定手段によって固定される。
【００１９】
また、図２及び図３に示すように、一対の連結部材収容部本体２３ａ，２３ｂのうちの他方（２３ｂ）は、一対のカバー本体５ａ，５ｂの半割状のガイド穴１５ｂにスライド移動できるように係合される。この他方の連結部材収容部本体２３ｂの上部には、半割状のガイド穴１５ｂの上端部で且つガイド穴１５の軸心ＣＬの延びる方向に沿って形成されたガイド溝３６にスライド移動できるように係合されるスライドガイド突起３７が形成されている。また、この他方の連結部材収容部本体２３ｂの下部には、スライド操作用把持部３８を固定する取付穴４０が形成されている。この他方の連結部材収容部本体２３ｂの取付穴４０には、他方のカバー本体５ｂの下部に形成された長穴４１を介してスライド操作用把持部３８の固定片４２が挿入されると共に、スライド操作用把持部３８の固定片４２が固定される。そして、連結部材収容部本体２３ｂの半割状のガイド穴１５ｂ内におけるスライド量は、カバー本体５ｂの長穴４１によって決定される（制限される）。すなわち、スライド操作用把持部３８のスライド量がカバー本体５ｂの長穴４１によって決定されるため、スライド操作用把持部３８が固定された他方の連結部材収容部本体２３ｂのスライド量もカバー本体５ｂの長穴４１によって決定されることになる。なお、スライド操作用把持部３８の固定片４２は、他方の連結部材収容部本体２３ｂの取付穴４０に圧入されるか、又は接着等の公知の固定手段によって固定される。
【００２０】
図３に示すように、一方の連結部材収容部本体２３ａに固定されたスライド操作用把持部３２には、係止突起４３が形成されている。また、他方の連結部材収容部本体２３ｂに固定されたスライド操作用把持部３８には、一対のカバー本体５ａ，５ｂが閉じられる際に、一方のスライド操作用把持部３２に形成された係止突起４３を係合・固定する係止穴４４が形成されている。したがって、この一対のスライド操作用把持部３２，３８は、一対の連結部材収容部本体２３ａ，２３ｂを閉じ状態で保持する連結部材収容部閉じ手段として機能すると共に、カバー本体閉じ手段としても機能する。そして、スライド操作用把持部３２，３８は、引留クランプ収容部３の外方へ突出した部分が図外の間接活線用工具によって把持され、図外の間接活線工具によってカバー本体５ａ，５ｂの長穴３４，４１に沿ってスライド移動させられることにより、連結部材収容部４を引留クランプ収容部３のガイド穴１５に沿ってスライド移動させる。
【００２１】
また、図２及び図３に示すように、一対の連結部材収容部本体２３ａ，２３ｂは、耐張碍子２６の開口部２８から突出する連結部材２７と引留クランプ２とを接続する連結ピン４５との干渉を避け、引留クランプ収容部３のガイド穴１５内をスライド移動できるようにするため、連結ピン４５と隙間をもって係合する連結ピン逃がし溝４６が形成されている。
【００２２】
以上の本実施形態の引留クランプカバー１は、引留クランプ収容部３の外方へ突出するスライド操作用把持部３２，３８が図外の間接活線工具によって把持された状態でスライド移動させられると、連結部材収容部４が引留クランプ収容部３のガイド穴１５内をスライド移動し、連結部材収容部４が耐張碍子２６の開口部２８内に出し入れされる。したがって、本実施形態の引留クランプカバー１によれば、連結部材収容部４を耐張碍子２６の開口部２８に挿入・抜出する作業が図外の間接活線工具によって容易に行われる。
【００２３】
また、本実施形態の引留クランプカバー１は、引留クランプ収容部３のうちの間接活線工具で操作しにくい箇所（縁線引出部１４と連結部材収容部４との間）に配設されたカバー本体閉じ手段８が、磁石２１とこの磁石２１に引き付けられる磁石吸引部材（例えば、鉄片２２）で構成されている。したがって、引留クランプ収容部３のうちの図外の間接活線工具で操作しにくい箇所に配設されたカバー本体閉じ手段８は、他のカバー本体閉じ手段７で一対のカバー本体５ａ，５ｂを閉じる過程において、一対のカバー本体５ａ，５ｂを磁石２１の磁力で自動的に閉じることができる。したがって、引留クランプカバー１で引留クランプ２を覆う作業が図外の間接活線工具によって容易に行われる。
【符号の説明】
【００２４】
１……引留クランプカバー
２……引留クランプ
３……引留クランプ収容部
４……連結部材収容部
５ａ，５ｂ……カバー本体
６……ヒンジ部
８……カバー本体閉じ手段
１３……縁線
１４……縁線引出部
１５……ガイド穴
２１……磁石
２２……鉄片（磁石吸引部材）
２６……耐張碍子
２７……連結部材
２８……開口部
３２，３８……スライド操作用把持部
【図１】
2014176115.tif 000003
【図２】
2014176115.tif 000004
【図３】
2014176115.tif 000005
【図４】
2014176115.tif 000006